(57)【特許請求の範囲】
【請求項１】
（ａ）前部壁面と、
（ｂ）後部壁面と、
（ｃ）第１の側壁面と、
（ｄ）前記第１の側壁面の反対側の第２の側壁面と、
（ｅ）上部ブロック表面と、
（ｆ）下部ブロック表面と、前記上部ブロック表面から前記下部ブロック表面へ当該ブロックを貫通して延在する中央の貫通コアを画成すべく、前記第１の側壁面および第２の側壁面が前記前部壁面から前記後部壁面へ延在し、前記貫通コアが、前記第１の側壁面および前記前部壁面のほぼ中央であって、前記上部ブロック表面で画成される上部前部縁および前記上部ブロック表面から下方へ延在する第１の前部コーナー部を有し、
（ｇ）前記第１の側壁面に隣接する前記下部ブロック表面から下方へ延在し、
（Ａ）前記第１の側壁面と同一平面の平坦な側部と、
（Ｂ）９０°以下の角度で前記平坦な側部に結合され前部縁を有する前部と、を有する第１の突部と、を有するとともに、
前記第１の突部の前部および前記貫通コアの第１の前部コーナーが互いに補完的なアーチ状であるブロック。
【請求項２】
（ａ）前部壁面と、
（ｂ）後部壁面と、
（ｃ）第１の側壁面と、
（ｄ）前記第１の側壁面の反対側の第２の側壁面と、
（ｅ）上部ブロック表面と、
（ｆ）下部ブロック表面と、前記上部ブロック表面から前記下部ブロック表面へ当該ブロックを貫通して延在する中央の貫通コアを画成すべく、前記第１の側壁面および第２の側壁面が前記前部壁面から前記後部壁面へ延在し、前記貫通コアが、前記第１の側壁面および前記前部壁面のほぼ中央であって、前記上部ブロック表面で画成される上部前部縁および前記上部ブロック表面から下方へ延在する第１の前部コーナー部を有し、
（ｇ）前記第１の側壁面に隣接する前記下部ブロック表面から下方へ延在し、
（Ａ）前記第１の側壁面と同一平面の平坦な側部と、
（Ｂ）９０°以下の角度で前記平坦な側部に結合され前部縁を有する前部と、を有する第１の突部と、を有するとともに、
前記貫通コアが、前記上部ブロック表面の下部にリップ部を有するブロック。
【請求項３】
（ａ）前部壁面と、
（ｂ）後部壁面と、
（ｃ）第１の側壁面と、
（ｄ）前記第１の側壁面の反対側の第２の側壁面と、
（ｅ）上部ブロック表面と、
（ｆ）下部ブロック表面と、前記上部ブロック表面から前記下部ブロック表面へ当該ブロックを貫通して延在する中央の貫通コアを画成すべく、前記第１の側壁面および第２の側壁面が前記前部壁面から前記後部壁面へ延在し、前記貫通コアが、前記第１の側壁面および前記前部壁面のほぼ中央であって、前記上部ブロック表面で画成される上部前部縁および前記上部ブロック表面から下方へ延在する第１の前部コーナー部を有し、
（ｇ）前記第１の側壁面に隣接する前記下部ブロック表面から下方へ延在し、
（Ａ）前記第１の側壁面と同一平面の平坦な側部と、
（Ｂ）９０°以下の角度で前記平坦な側部に結合され前部縁を有する前部と、を有する第１の突部と、
（ｊ）前記第２の側壁面に隣接する前記下部ブロック表面から下方へ延在し、
（Ａ）前記第２の側壁面と同一平面の平坦な側部と、
（Ｂ）９０°以下の角度で前記平坦な側部に結合され前部縁を有する前部と、を有する第２の突部と、を有するとともに、
前記第２の突部の前部および前記貫通コアの第２の前部コーナーが互いに補完的なアーチ状であるブロック。
【請求項４】
前記第１の突部の前部の前部縁が、前記上部ブロック表面へ突出させたときに前記貫通コアの上部前部縁に沿うか又はそれの前に位置するように配置されている請求項１乃至３の何れかに記載のブロック。
【請求項５】
前記貫通コアが、前記上部ブロック表面から前記下部ブロック表面へ内部で傾斜している請求項１乃至４の何れかに記載のブロック。
【請求項６】
前記前部壁面が、前記下部ブロック表面から前記上部ブロック表面へ、上方および後方へ傾斜している請求項１乃至５の何れかに記載のブロック。
【請求項７】
（ｉ）前記上部ブロック表面において前記第１の側壁面から前記第２の側壁面へ向かい終焉し、前記後部壁面と前記前部壁面との中間であって、前記貫通コアに連続する貫通チャンネルをさらに有する請求項１乃至６の何れかに記載のブロック。
【請求項８】
（ｊ）前記第２の側壁面に隣接する前記下部ブロック表面から下方へ延在し、
（Ａ）前記第２の側壁面と同一平面の平坦な側部と、
（Ｂ）９０°以下の角度で前記平坦な側部に結合され前部縁を有する前部と、を有する第２の突部をさらに有する請求項１，２，４乃至７の何れかに記載のブロック。
【請求項９】
前記貫通コアが、前記第２の側壁面および前記前部壁面のほぼ中央であって、前記上部ブロック表面から下方へ延在する第２の前部コーナー部を有する請求項１乃至８の何れかに記載のブロック。
【請求項１０】
前記第２の突部の前部の前部縁が、前記上部ブロック表面へ突出させたときに前記貫通コアの上部前部縁に沿うか又はそれの前に位置するように配置されている請求項３又は８に記載のブロック。
【請求項１１】
（ｈ）前記上部ブロック表面に形成されたＬ形貫通チャンネルであって、
該チャンネルの一端は前記第１の側壁面に形成され、他端は前記後部壁面又は前記前部壁面の何れか一方に形成され、
該チャンネルの一端および他端の間において曲がるとともに、この部分で前記貫通コアの一端が開口するＬ形貫通チャンネルをさらに含む１乃至１０の何れかに記載のブロック。
【請求項１２】
前記上部ブロック表面において前記第１の側壁面から前記第２の側壁面へ前記後部壁面および前記前部壁面の中央で延在し、前記貫通コアに連続し前記第２の側壁面の手前で終止するチャンネルを有する請求項１乃至１１の何れかに記載のブロック。
【請求項１３】
第１および第２のサブブロックを有し、
前記第１のサブブロックは、
（ａ）前部壁面と、
（ｂ）後部壁面と、
（ｃ）第１の側壁面と、
（ｄ）前記第１の側壁面の反対側の第２の側壁面と、
（ｅ）上部ブロック表面と、
（ｆ）下部ブロック表面と、
（ｇ）前記第１の側壁面に隣接する前記下部ブロック表面から下方へ延在し、
（Ａ）前記第１の側壁面と同一平面の平坦な側部と、
（Ｂ）９０°以下の角度で前記平坦な側部に結合され前部縁を有する前部と、を有する第１の突部と、
（ｈ）前記上部ブロック表面において前記第１の側壁面から前記第２の側壁面へ向かい、前記後部壁面と前記前部壁面との中間の当該第２の側壁面で終焉する貫通チャンネルとを有し、
前記第２のサブブロックは、
（ａ）前部壁面と、
（ｂ）後部壁面と、
（ｃ）第１の側壁面と、
（ｄ）前記第１の側壁面の反対側の第２の側壁面と、
（ｅ）上部ブロック表面と、
（ｆ）下部ブロック表面と、
（ｇ）前記第１の側壁面に隣接する前記下部ブロック表面から下方へ延在し、
（Ａ）前記第１の側壁面と同一平面の平坦な側部と、
（Ｂ）９０°以下の角度で前記平坦な側部に結合され前部縁を有する前部と、を有する第１の突部と、
（ｈ）前記後部壁面と前記前部壁面との中間に形成され、前記上部ブロック表面において前記第１の側壁面から前記第２の側壁面へ向かう、該第２の側壁面側が閉塞した第１のブラインドチャンネルと、前記上部ブロック表面において前記第２の側壁面から前記第１の側壁面へ向かう、該第１の側壁面側が閉塞した第２のブラインドチャンネルとを有し、
前記第１および第２のサブブロックは、前記ブロックの長さ中間に沿って割いて造形される矩形ブロック。
【請求項１４】
前記第１および第２のサブブロックは、４つのミニブロックを造形すべく前記第１の分割を横断する方向にさらに分割され、前記第１のサブブロックはそれぞれ一つのブラインドチャンネルを有する２つのミニブロックとされ、前記第２のサブブロックはそれぞれ一つの貫通チャンネルを有する２つのミニブロックとされる請求項１３記載のブロック。
【請求項１５】
前記第１のサブブロックの第１の突部の前部の前部縁が、前記上部ブロック表面へ突出させたときに前記貫通チャンネルの前部縁に沿うか又はそれの前に位置するように配置されている請求項１３乃至１４の何れかに記載のブロック。
【請求項１６】
前記第２のサブブロックの第１の突部の前部の前部縁が、前記上部ブロック表面へ突出させたときに前記第１のブラインドチャンネルの前部縁に沿うか又はそれの前に位置するように配置されている請求項１３乃至１４の何れかに記載のブロック。
【請求項１７】
請求項３又は８に記載のブロックの複数の段から形成される壁であって、各段は前記ブロックが並んで設置され、隣接する下段に載せられる上段を有し、前記上段のブロックは、前記上段のブロックの第１の突部が下段の一つのブロックの貫通コアに係合するとともに前記上段のブロックの第２の突部が隣接する下段のブロックの貫通コアに係合するように前記下段に対して横方向および後方にオフセットされている壁。
【請求項１８】
下段および上段それぞれの平坦面にて隣接する上段および下段のブロック間に挟持され、上段のブロックの突部が下段のそれぞれの貫通コア内のシートの相当部位を固定することで前記シートが強固に固定される、柔軟性を有するジオテキスタイルシートをさらに有する請求項１７に記載の壁。
【発明の詳細な説明】
発明の分野
本発明は、モルタルを使用しない壁構造物およびこれに用いられるブロックに関し、特に土手や段丘を守るために擁壁として好適に機能するものに関する。
発明の背景
土からなる築堤（土手）を地滑りから保護するために、擁壁産業には様々なインターロックおよびモルタルレスシステムが知られている。
ピンおよびソケットを含むインターロック機構は、労働者による細かい監督管理が必要とされ、また一つのピンでも欠けると、ブロック段、ひいては壁全体の構造的な完全さが危険にさらされるおそれがある。また、これらピンおよびソケット機構では、土手のカーブの廻りに役立つために重要なブロックの横の動きが許容されていない。
大きな土手（高速道路の近くで見られるような）に対しては、ブロックも大きくなくてはならない。公知のブロックは中実であり（すなわち貫通コアがない）、一般的には５フィート×２・１／２フィート×２・１／２フィートの大きさで、重さが５０００ポンドである。これらのブロックは、大きな直角の突部およびそれに応じたソケットにてインターロックされるが、これら突部およびソケットにより、土手の形状に応じて非９０°の凹状または凸状の曲線を有する壁部を建造しようとする可能性が著しく制限される。
本発明の目的のため、以下の定義が用いられる。「転び（batter）」とは壁面の鉛直線からの見かけの傾きである。「半接続（half-bond）」とは、鉛直方向の接続が下側の段から１／２ユニットだけずれるようにユニットを積み重ねて建造された関係またはパターンである。方向について、「凸状」、「凹状」、「左」、「右」は、ブロックまたは壁部の前面に向かい合った人の視線により決定される。「横」とはブロックまたはブロック段の長手軸に沿い前面に平行な方向を意味する。「充填材」とは、約１／２インチまたは３／４インチの大きさの、粉砕され角のある小石片のような、加工し易く水切りされた粒状の材料である。
発明の概要
前部壁面と、後部壁面と、第１の側壁面と、前記第１の側壁面の反対側の第２の側壁面と、上部ブロック表面と、下部ブロック表面とを有し、前記上部ブロック表面から前記下部ブロック表面へ当該ブロックを貫通して延在する中央の貫通コアを形成すべく前記第１の側壁面および第２の側壁面は前記前部壁面から前記後部壁面へ延在し、前記貫通コアは前部上部縁および前記上部ブロック表面と面一な第１の前部コーナー部を有し、前記第１の側壁面および第２の側壁面の中間にあり、前記第１の側壁面に隣接する前記下部ブロック表面から下方へ延在し、（ｉ）前記第１の側壁面と同一平面の平坦な側部と、（ｉｉ）９０°以下の角度で前記平坦な側部に結合され前部縁を有する前部と、を有する第１の突部と、を有するブロックが提供される。
【図面の簡単な説明】
図１は本発明に係るブロックを示す平面図、
図２は図１に示すブロックの側面図、
図３は図１に示すブロックの底面図、
図４は図１に示すブロックの斜視図、
図５は本発明に係る突部を示す底面図、
図６は本発明に係る他のブロックを示す平面図、
図７は図６に示すブロックの側面図、
図８は図６および図７に示すブロックで構築され、ジオグリッドでしっかり固められた壁部を示す斜視図、
図９は図８に示す変形例のブロックで構築され、ジオグリッドでしっかり固められた壁部を示す斜視図、
図１０ａは壁部および図９に示すジオグリッドの固定を示す側面図、
図１０ｂは壁部および図８に示すジオグリッドの固定を示す斜視図、
図１１は本発明に係る他のブロックを示す平面図、
図１２は本発明に係る他のブロックを示す平面図、
図１３は図６に示すブロックで構築された凸状壁部の数段を示す平面図、
図１４は壁の凹状コーナーの数段を示す平面図、
図１５は壁の凸状コーナーの数段を示す平面図、
図１６は本発明に係る他のブロックを示す底面図、
図１７は図１６に示すブロックの側面図、
図１８は図１６および図１７に示すブロックで構築された壁部の数段を示す平面図、
図１９は本発明に係る他のブロックを示す平面図、
図２０は図１９に示すブロックの底面図、
図２１は図１９および図２０に示すブロックで構築された壁部を示す正面図、
図２２は図２１に示す壁のＥ−Ｅ線に沿う平面図、
図２３は図２１および図２２のＤ−Ｄ線に沿う側面図である。
好ましい実施形態の詳細な説明
図１乃至４に示すように、ブロック１００は、前部壁面１１０と、前部壁面１１０の背後に離間しこれに平行な後部壁面１３０と、第１の側壁面１１５と、第２の側壁面１２０とを有し、平面視において双方が対称な台形とされている。これらの壁面が中央の貫通コア１５０を画成する。また、ブロックの上部には平坦な表面１４０（以下、上部ブロック表面１４０という。）およびブロックの下部には平坦な表面１４１（以下、下部ブロック表面１４１という。）が存在する。第１の側壁面１１５および第２の側壁面１２０に関して、それぞれ突部２１５および２２０が、下部ブロック表面１４１から下方へ必須的に垂下している。
変形例として、図９に示すブロック１０１は、ブロック１００と同じであるが、チャンネル３５０に均等なチャンネルを備えていない。この変形例では、突部２１５は直下のブロックのコア１５０内に位置せしめられ、突部２１５の前部のアーチ状部分２１７の最前縁は、幾つかの適用においてコアのコーナー１５３に境を接しても良い。ブロック１０１のコア１５０は、上の段のブロック１００の突部２１５又は突部２２０が、直線状の壁の結果的な転びを変えることなく、横方向左右にシフトできる（半接続を達成するため又は半接続から外れるために）十分な横長さとされている。ブロック１００に関する説明は同等にブロック１０１にも適用できるので（特に示すところは除く）、説明の節約のため重複記載はしないこととする。
貫通コア１５０は、下部ブロック表面１４１から下方へ延在し、内部が傾斜されて示されている。ただし、この傾斜は製造を容易にするための選択的なものである。コア１５０は、上部の前部にある縁１５１（以下、上部前部縁１５１という。）と上部の後部にある縁１５４（以下、上部後部縁という。）とを有し、これらは前部壁面１１０に平行とされている。コア１５０は、第１の前部コーナー１５２と第２の前部コーナー１５３とを有し、これらはアーチ形状とされている。貫通コア１５０は、後述するように、流動性コンクリートに埋められる充填材又は鉛直強化ロッド７０１を収容する。
図２，４および８に好適に示されるように、ブロック１００は水平方向のチャンネル３５０を有し、このチャンネルは、鉛直下方に上部ブロック表面１４０（コアの上部前部縁１５１とコアの上部後部縁１５４とを協働して含む）から延在し、第１の側壁面１１５および第２の側壁面１２０の間で水平に延在し、さらに前部壁面１１０および後部壁面１２０の中間に延在する。チャンネル３５０は、壁の構築には必要ではないが、ブロックの段に沿ってブロックからブロックへ延在する強化ロッド７００（図８を参照して後述する。）やアンカーバー７０２（図１０ｂを参照して後述する。）を収容するのに便利である。
突部２１５および２２０は、ある一つの段のブロックとその下の段のブロックとの間の締結手段を提供する。図５に好適に示されるように、突部２１５はほぼカム形状に形成され、側部２１６（この側部はブロックの側壁面１１５の外面と面一である。）と、前部アーチ部２１７と、後部アーチ部２１８とを有している。
図５に好適に示されるように、突部２１５の前部アーチ部２１７は、突部２１５の側部２１６と９０°で交差する。これに代えて、より凸状の壁部の形成を容易にするために、前部アーチ部２１７ａは側部２１６と９０°より大きい角度θで交差しても良い。またこれに代えて、より凹状の壁部の形成を容易にするために、前部アーチ部２１７ａは側部２１６と９０°より小さい角度θで交差しても良い。９０°近傍の角度θは、回転性および（剪断力の）大きさを達成する合理的な妥当値である。
突部２１７の前部アーチ部２１７の最前縁部分は、ほぼ１／４円とされている。前部アーチ部２１７は、部分的に、下の段のブロック１００のコアのコーナー１５３を補完する形状とされ（図８および９に好適に示され、これについては後述する。）、もし仮に補完的でなければ、前部アーチ部２１７は少なくとも前方へのアーチ部を備えなければならない。図２および３に好適に示されるように、前部アーチ部２１７の最前縁は、コア１５０の前部上部縁１５１が位置するのと同じ鉛直面Ａ−Ａに沿って配置されている。突部２２０は、ブロック１００の反対側部（すなわちほぼ側壁面１２０）に突部２１５の鏡面対称となるように配置されていることを除いては、全ての本質的な点において突部２１５と同じである。以下に、突部２１５を含む原理は、ほとんど全ての場合について説明することとし、これは突部２２０にも適用できるが、説明の節約のため重複記載はしないこととする。
コアのコーナー１５３は、ほぼ１／４円とされ前部アーチ部２１７の略半径に等しい。コアのコーナー１５３の厳密な形状は不可欠なものではなく角張ったコーナーも可能である。チャンネル３５０の存在により、コア１５０の前部上部縁１５１のみが前部アーチ部２１７に接続し、コアのコーナー１５３と突部２１５との間の接続はなく、したがってコーナーは９０°のものでも良い。ブロック１０１にしても、前部アーチ部２１７とコアのコーナーとのそれぞれの形状が突部２１５をコアの前部上部縁１５１に対して容易に回転できるものである限り、コアのコーナー１５３はアーチ状に補完的である必要はない。少なくとも、突部の前部アーチ部２１７は、下のブロック１００のコア１５０の前部上部縁１５１に境を接し大きな角度で回転できるように、アーチ状でなければならない。
このように、上の段のブロック１００は下の段の２つのブロック１００に対して２つの回動軸を創り出す。特に、第１の回動軸は、突部２１５の前部アーチ部２１７と左側の下に位置するブロック１００のコア１５０の前部上部縁１５１との間の接続点であり、第２の回動軸は、突部の前部アーチ部２２２と右側の下に位置するブロック１００のコア１５０の前部上部縁１５１との間の接続点である。これはブロック１０１について図９に示され、ブロック３００（ブロック１００の変形例であり後述する。）については図８および図１３に示されている。これら２つの回動軸は凸状又は凹状の壁部を造るのに有利となる。
突部２１５の後部２１８は、図５に示すように、ほぼ１／４円のアーチ状コーナーとしても良い。後部２１８により画される厳密な形状は設計思想に依る。
ブロックおよび突部の製造を容易にするためには、後部２１８は前部アーチ部２１７から前部壁面へ横断して延在すべきであるが、他の方向も可能である。
突部２１５の寸法は下のブロックのコア内にある突部２１５の剪断力と回転性に影響する（これについては後述する）。突部２１５に対する構造的な完全性と剪断力を付与するために十分な大きさにしなければならない。その大きさが大きくなると、前方から後方へ向かう方向の突部２１５の剪断力が増加するという効果がある。この効果は幾つかの適用において相殺されるかもしれない。というのは、大きさが増加すると突部２１５の下のブロックに対する回転性が低下するおそれがあるからである。特に、もし第１の回動軸（すなわち突部２１５と前部上部縁１５１との接続点）が下のブロック１００の側壁面１２０に近接し、凹状の壁部が望まれていると、突部２１５の後部アーチ部２１８は、９０°のコーナーの後部アーチ部２１８よりも側壁面１２０に向かう回転性がより向上する。換言すれば、後部アーチ部２１８は、必要ならば、さらに凹状にカーブする壁部とすることができる。
ブロック１００では、前部アーチ部２１７の最前縁（同様に、前部アーチ部２２２の最前縁）は、コア１５０の前部上部縁１５１のように、同じ鉛直面Ａ−Ａに配置されているので、そのようなブロック１００の段に置かれる結果、壁は図８に示すように鉛直の壁となる。
ブロック１００の台形形状は、図１３に示すように、所望により突状壁部の形成を容易にする。しかしながら、直線状または凹状壁部（図８，９および１４に示す）の形成は、ブロック１００の台形形状によって何ら阻害されることはない。
上記のように、大きな土手に適用される公知のブロックは中実である（すなわち貫通コアがない）。本発明のブロックの効果の一つは、ブロック１００の重量を軽減する貫通コア１５０の提供であり、これにより据え付け現場へのブロック１００の輸送に経済的効果が発揮される。１５０のような貫通コアにより、同等の大きさの中実ブロックの軽量化を１／３程度のオーダで達成することができる。それ自体の構築の点では、コアおよびチャンネルは、適宜流動性コンクリートに埋設される充填材またはロッド７００および７０１で満たされる。これにより、剪断力を増加させる良好なインターロック接着（すなわち後述する上の段のブロックとジオグリッドの良好な張力）が形成され、これは貫通コアのないブロックの段に利用できない。
自動オフセットブロック
ブロック３００（図６および図７に示す。）は転びをもった壁部を建造するのに用いられる。ブロック３００はブロック１００の変形例であり、コアに対する突部の相対位置を除き、全ての本質的事項において同じである。特に、ブロック３００は、コア１５０の上部前部縁３５１にて規定される鉛直面Ａ−Ａの僅かに前方にオフセットしていることを除き、ブロック１００の突部２１５および２２０と同じ２つの突部３１５および３２０を有する。前方へのオフセットは結果としての壁部の転びの角度を決定する。図８に示すように、ブロック３００の突部がブロック１００の下段のコア１５０の上部前部縁３５１によって規定される面Ａ−Ａより前方にオフセットする量だけ、ブロック３００の上段は、ブロック１００の下段からオフセットされている。特に、ブロック３００を含む壁部の転びは、ブロック３００の高さに対する突部３１５の前部アーチ部が鉛直面より前方にある長さの比により決定される。
見栄えを良好にすべく、ブロック３００の前部壁面３１０は、結果的にブロック３００の数段の転んだ壁部が平坦かつ傾斜して見えるように、傾斜されている。
Ｌ形ブロック
ブロック４００（図１１に示す。）は、壁部のコーナーや端部ブロックに適した他の形状のブロックである。ブロック４００はＬ形チャンネル４５０を有し、このチャンネルはブロック１００のチャンネル３５０と類似し、第１の側壁面４２５の上部ブロック表面から第２の側壁面４２０（第１の側壁面４２５の反対側）に向かって延在し、後部壁面４３０および前部壁面４１０の間にあるが、曲がって後部壁面４３０にて終焉している。
チャンネル４５０は、当該チャンネル４５０内の曲がり角を通過すべく適当に折り曲げられた水平強化ロッド７００を収容する。ブロック１００の貫通コア１５０と同じ貫通コア４４５が存在し、この貫通コア４４５は流動性コンクリートに埋設される充填材や鉛直強化ロッド７０１が収容される（図示しない。）。突部４１５は第１の側壁面４１０から完全に下方に垂下し、ブロック１００の突部２１５と同じように形作られて配置される。説明の節約のため突部４１５はこれ以上説明しない。第２の側壁面４２０は、図示するように魅力ある面の輪郭となるようにしても良い。
図１１はオフセット態様（すなわち突部４１５がチャンネル４５０の前部縁から前方に僅かにオフセットされている。）を示すものであるが、チャンネル４５０の前部縁に突部４１５を沿わせることによる非オフセット態様も可能である。ブロック４０１は、図１５に示すように（明確化のために点線で示す。）、前部壁面と後部壁面とが逆でこれに応じてチャンネルの曲がりが逆とされている点を除き、ブロック４００と全ての点で同じである。ブロック４００とブロック４０１の使用は、図１５に示すコーナー壁部の形成とともに説明する。
エンドブロック
正方形のブロック５００（図１２に示す。）は、コーナーまたは端部のブロックとして採用するに適した他のブロックである。ブロック５００は、ブロック１００の長さの約半分である。突部５１５は第１の側壁面５１０から完全に下方に垂下し、ブロック１００の突部２１５と同じように形作られて配置される。説明の節約のため突部４１５はこれ以上説明しない。第２の側壁面５２０は第１の側壁面５１０の反対側にあり、この第２の側壁面にはそれから垂下する突部は存在しない。前部壁面および後部壁面だけでなく、第２の側壁面５２０の外表面は、第２の側壁面５２０に示されるように魅力ある面の輪郭となるようにしても良い。
ブロック５００はブロック１００の貫通コア１５０と同じ貫通コア５４５を有し、この貫通コア５４５は流動性コンクリートに埋設される充填材や鉛直強化ロッド７０１が収容される（図示しない。）。ブロック５００は出口のないチャンネル５５０を有し、このチャンネルはブロック１００のチャンネル３５０に類似し、上部ブロック表面から鉛直に延在するとともに、後部壁面および前部壁面の間において第１の側壁面５１０から第２の側壁面５２０（第１の側壁面５１０の反対側）に向かって水平に延在している。しかしながら、コア５４５を越えて延在したのちは（遮るものがない貫通コア５４５を許容するため）、チャンネル５５０は第２の側壁面５２０に到達する前に終焉する。
図１２に示すブロック５００はオフセット態様（すなわち突部５１５がチャンネル５５０の前部縁から前方に僅かにオフセットされている。）であるが、チャンネル５５０の前部縁に突部４１５を沿わせることによる非オフセット態様も可能である。
ブロック１００，３００，４００および５００を用いて壁を形成すると、所定の方法により、チャンネル３５０，３５０，４５０，５５０のそれぞれの前部縁に突部をオフセットあるいは沿わせることでブロックをモジュール化できるといった効果がある。
壁の構築
直線状の壁に対しては、ブロック１００およびブロック３００を順次横へ段にして設置して、各段の関係は半接続又はそれくらいとする（図８に示す）。コーナー又は端部ブロック４００および５００が必要に応じて採用される。
突部が地面に向かって下方に対面するブロックの方向（「下向き方向」）は、突部が上向きに対面するようにブロックが配置された逆方向（「上向き方向」）以上に好ましいとされる。下向き方向において、下段の２つのブロック対に対する上段のブロックの回動軸は、ブロックの前部壁面に向かって位置される。上向き方向において、上段の２つのブロック対に対する下段のブロックの回動軸は、ブロックの後部壁面に向かって位置される。ブロック１００の突部２１５および２２０は、下向き方向より上向き方向の方がより離れているので、半接続からより多く横移動が可能となる。換言すれば、上向き方向において、突部２１５および２２０は上段の２つのブロック１００のそれぞれの側壁対に最も近く、したがって上向き方向における下のブロック１００は横方向の自由度がより制限される。横方向の自由度のみならず、カーブした壁部が望まれているときは、上向き方向は下向き方向よりより制限される。これに加えて、壁のカーブ部分の転びは、下向き方向のブロックに比べて上方向のブロックでは加速的に変化するとともに、これは応用次第で好ましくないこともある。
上向き方向も下向き方向も何れも可能であり、その選択は設計事項の一つである。明らかに、下向き方向にてブロックの最下段を配置するために、これらの突部をハンマーやノコギリで除去してもよく或いは従来の方法で基礎内に打ち込むこともできる。
図１４に示されるように、ブロック３００を用いた９０°の凹状コーナーは、一つおきの段においてコーナー部で互いにオーバーラップする２つの壁部の横断する結合により建造される。特に、一方の壁部の端部ブロック３００は、同じ段の他方の端部ブロック３００を過ぎて配置され、次の段においては、この配列が逆にされる。通過して配置されるブロックの突部は、除去されなければならない。貫通コアには充填材が満たされ、各段間が鉛直方向に接着される。ブロック３００は自動的に転びを建造するので、各ブロック３００は横方向にコーナーに向かって半接続から適当な量だけ配置され、それぞれの転びにより直立するように２つの壁部の部分が互いに後退するといったことを補償する。適当な横方向の変位は、コアの前部縁３５１で規定されるＡ−Ａ面より突部３１５および３２０が前方にあるという量である。
ブロック３００を用いた非９０°の凹状カーブの壁部のためのオフセット発展型は、ブロック３００を用いた９０°の凹状コーナーのものと類似する。壁が立ち上がるに連れて各段のカーブ半径は大きくなる。換言すれば、増加的に積極的な転びが存在する。仮に、より鉛直な壁部の建造が必要であれば、突部３１５および３２０の前部の前側少しを削落しても良く（すなわち、ブロック１００の突部２１５および２２０に最も近くなるように）、カーブの中央に向かう横方向のオフセットを採用しても良い。
ブロック１００を用いた非９０°の凹状カーブの壁部では、カーブの段が上がるに連れて曲率半径が減少する。すなわち、下のブロックの前部壁面の前側より後ろの２点でブロック１００が回動可能とされることから、内側に傾斜する転びは自然に建造される。
ブロック３００を用いた９０°の凸状コーナーの配列は、図１５に示されるように、ブロック３００を用いた９０°の凹状コーナーのものと少しの違いはあるが類似している。まず第１に、コーナーブロック４００および４０１（明確にするために点線で示す。）が必要とされ、コーナーを形成するために互いにオーバラップして隣接する段に交互に配置される。第２に、各ブロック３００がコーナーから適当な量だけ離れて横方向に設置され、それぞれの転びのためにコーナーの左および右の壁の部分が互いに向かって移動するといったことが補償される。
ブロック３００を用いた非９０°の凸状カーブの壁部が図１３に示されている。壁が立ち上がるに連れて各段のカーブ半径は小さくなる。換言すれば、増加的に積極的な転びが存在する。仮により鉛直な壁部の建造が必要であれば、オフセットを減少させるべく突部３１５および３２０の前部の前側少しを削落しても良い（すなわち、ブロック１００の突部２１５および２２０に最も近くなるように）。
ブロック１００を用いた非９０°の凸状カーブの壁部では、カーブの段が上がるに連れて曲率半径が増加する。すなわち、下のブロックの前部壁面の前側より前の２点でブロック１００が回動可能とされることから、外側に傾斜する転びは自然に建造される。
コーナーやターンはカーブのコーナーやセンターから外側へ、すなわち中央のブロックから左および右へ順次建造されることが望ましい。自動的にオフセットされるブロックでは、各ブロックは下のブロックに対して、凹状カーブでは進み、凸状カーブでは遅れることになる。
ジオシンセティックシートアンカー
数段のブロックを設置したのち、土や砂利で埋め戻し、これをぎっしり詰め、後述するように、そのときの最上段のブロックにジオシンセティックシートを固定し埋め戻しの上に広げる。この工程は壁が所望の高さになるまで繰り返す。
ジオシンセティックシート（geosynthetic sheet）は、荷重に耐えるくらい十分に強く、過度の壁の撓みを防止するくらい十分に堅くなければならない。好ましいジオシンセティックシートの例はジオテキスタイルおよびジオグリッドを含む。ジオテキスタイルは、ファイバガラスのように、産業用袋を満足するほど密な織物であることが望ましい。ジオグリッド（geogrid）６００は、格子のような構造の薄いシートであり、図９に示されるように穿孔を有する一枚のシートで織られるか構成されることが望ましい。説明の節約のため、ジオグリッド６００は図示され説明されるが適用原理はジオテキスタイルの適用に等しい。説明の節約のため、ブロック１０１に対するジオグリッド６００の固定の原理は、少しの改変をともなうものの、ブロック１００，３００，４００および５００への適用と等しいので、ブロック１０１に対するものを図９に図示するとともに以下に説明し、重複記載はしない。
コア１５０が一つのブロック段について充填材で満たされ、埋め戻されたのち、図９に示されるようにジオグリッド６００は、下表面および上表面のそれぞれにおいて隣接するブロックの上側と下側との間に固定されることにより、しっかり締め付けられる。ジオグリッド６００は、壁の前面に露呈することなく、下段のブロック１０１の上表面に可能な限り前方に配置され、そして埋め戻しにより壁に隠れて配置される。他のブロック段がその頂面に配置される。そして、そのとき最上段にあるブロック１０１の突部２１５および２２０が、その下のブロック１０１のコア１５０の上部前部縁に境を接するように、その上段の各ブロックを引いたり押したりする。次いで、ジオグリッド６００を後ろ側に引き、埋め戻しの上のその位置を棒、砂利および土６０１でしっかり固める。突部２１５および２２０は押し下げられ、図１０ａに示されるように、下段のブロックのコア１５０との協働により、ジオグリッド６００に対応する位置が固定される。充填材によるジオグリッド６００の歪曲によって、ブロック１０１とジオグリッド６００との間に良好な剪断力が生じるような、良好で積極的な結合が提供される。これによりジオグリッド６００はしっかり固定される。
チャンネルを有するブロック１００，３００，４００および５００について、ブロック１００に対するジオグリッド６００の固定をより高めるために、水平バー７０２が後部壁面１３０とコアの後部上部縁１５４に近いチャンネル３５０に設置され、ジオグリッド６００は、図１０ｂに示されるように、バー７０２と後部壁面１３０との間に固定される。間欠的にバー７０２はジオグリッド６００を縫うように通される。バー７０２は満足しうる堅さの適切な材料であればよいが、理想的にはコーナーに沿って折り曲げ可能な堅いプラスチックからなる。実際には、ブロック１００のコアは適当なレベル（ほぼチャンネル３５０の底面レベル）まで充填材で満たされる。次いで、ジオグリッド６００とバー７０２とを組み合わせたものが、上述したように、ジオグリッド６００の前部が前部壁面の頂表面にあるように設置される（図１０ｂには図示していない）。次いで、チャンネル３５０が（ジオグリッド６００の上から）充填材にて満たされ、良好なインターロックが建造される。チャンネルを有するブロック１００，３００，４００および５００のためのバー７０２を含むアンカー技術は、ブロック１０１について既述したウェッジング技術によって補われる。
チャンネルを有するブロック１００，３００，４００および５００では、図８に示されるように、一つの壁はチャンネル３５０を有する複数のブロック１００の段により形成され、強化ロッド７００が一つの段のブロックからブロックへ走るチャンネル３５０内を水平方向に延在し、強化ロッド７０１がブロック１００のコア１５０を下方向に延在する。９０°旋回するコーナでは、屈曲強化ロッド７００のためのＬ形チャンネル４５０を有するブロック４００および４０１が使用される（図示はしない）。コンクリートがコアおよびチャンネル内に流し込まれ、段間の強固なインターロックが提供される。
翼状ブロック
ブロック８００（図１６および１７に示す。）は、ブロック１００または３００より一般的に大きさが小さい他のブロックである。大きさが小さいことを除けば、ブロック８００はブロック１００または３００と類似している。突部８１５のアーチ部８１７の最前縁は、コア８５０（図示せず）の前部上部縁により規定される鉛直面に沿っているか僅かにそれより前方にある（図１６，１７および１８に示すようにこれはオフセット形態である）。チャンネル８５１は、ブロック１００に対するチャンネル３５０と同じような機能を奏し、チャンネル３５０と同じように選択可能である（ロッド７００またはバー７０２が好ましく採用される場合）。図示を簡略化するために、チャンネル８５１は、図１８のブロック８００，８００ａおよび８００ｂには図示を省略している。
ブロック８００は、小さいので把持、操作および設置が容易である。これらがブロック１００および３００との相違点である。コア８５０はリップ部８５５を有し、これにより作業者がブロックを容易に把持することができる。翼部８６０は各側部から外側へ垂れ下がり、埋め戻されたブロックに対してさらなるアンカーを提供する。翼部８６０は、図１８に示すように後部壁面が前部壁面と等しくなる幅とされ、これにより図１８に示す直線状の壁部の構成が容易となる。
ブロック８００の部分を除去すると凸状壁部の構築が容易になる。図１８に示すように、非９０°のコーナーの凸状角度を構築するために、ブロック８００の側壁面を削除することができ（ブロック８００ａ）、カーブ部を建造するために、一方または両方の翼部８６０を削除することができる（ブロック８００ｂ）。ブロック８００の部分の削除は、ノコギリのような従来の方法で達成することができ、コア８５０の存在によりこれが容易となる。コーナピース８０１は９０°のコーナーの建造を完璧にするために用いられる。コーナピース８０１は他のブロックと同様に中央にコアを有するほぼ矩形のものであり、その対角方向反対側の２つのコーナは、隣接するブロック８００の側壁面を収容する形状とされている（すなわち、コーナにおける両隣の２つのブロック間にフィットする形状とされている）。
モジュールブロック
他のブロック９００が図１９乃至２３に示されている。ブロック９００は従来方法により一体成形され、従来の断裁機技術により以下のように分断されることもある。
図示するように、Ｂ−ＢおよびＣ−Ｃの横断線を規定するノッチが存在する。ブロック９００はＢ−ＢおよびＣ−Ｃ線に沿って線が付けられている。見かけの最善効果として、ブロック９００は、線付けされていないからといって、突部が当該ブロック９００の分断を容易にするために線付けすべきものではない。
もしブロック９００がＢ−Ｂ線に沿って分断されたら、その結果、台形のサブブロック９０１と台形のサブブロック９０２（ブロック１００および３００に類似する）となる。サブブロック９０１は、Ｃ−Ｃ線に沿ってさらに分断することができ、これにより二つのミニブロック９０１ａおよび９０１ｂが提供される。同様にサブブロック９０２はＣ−Ｃ線に沿ってさらに分断することができ、これにより二つのミニブロック９０２ａおよび９０２ｂが提供される。したがって、ブロック９００は、最大４つのミニブロック９０１ａ，９０１ｂ，９０２ａ，９０２ｂを提供するように分断することができる。
図２０に示されるように、ミニブロック９０２ａは突部９２０および９２１を有し、ミニブロック９０２ｂは突部９２２および９２３を有し、サブブロック９０２は突部９２０および９２３を有する。同様に、ミニブロック９０１ａは突部９０５および９０６を有し、ミニブロック９０１ｂは突部９０７および９０８を有し、サブブロック９０１は突部９０５および９０８を有する。
ミニブロック９０１ａおよび９０１ｂはそれぞれ出口のないチャンネル９５１ａおよび９５１ｂを有する。サブブロック９０１は整列された出口のないチャンネル９５１ａおよび９５１ｂを有するが、それらの間には障害物が存在する。ミニブロック９０２ａおよび９０２ｂはそれぞれ貫通チャンネル９５２ａおよび９５２ｂを有する。サブブロック９０２は整列されたチャンネル９５２ａおよび９５２ｂにより構成される貫通チャンネルを有する。チャンネルおよび突部の大きさは、ブロック１００において既述した設計思想により選択される事項であるが、ブロック９００の突部は、概ねチャンネルの幅の半分であることが望ましい。
このように、一つの成形体から３種類のサイズの４つの異なるサブブロックを提供することができる。一つは基本ユニット（サブブロック９０１またはサブブロック９０２）であり、二つはコーナピース（ミニブロック９０１ａおよび９０１ｂまたはミニブロック９０２ａおよび９０２ｂ）である。単体のブロック９００を分断できることで構築現場において必要に応じて所望のブロックを提供できるので効果的である。不規則な地形では特に、事前に幾つのブロックとそのタイプとを正確に見積もることはきわめて困難である。従来では、必要な量とタイプのブロックを多めに見積もり、これを全て構築現場に運ぶか（これにより不必要な浪費または輸送コストが生じる。）、必要とされるブロックの量とタイプとを推測し、必要になったときにさらにブロックを得るようにしていた（これにより納期遅れが生じる。）
サブブロック９０２は、半接続またはそれに類する状態でサブブロック９０１またはサブブロック９０２上に設置される（図２１および２２に示す）。サブブロック９０２上に設置されるサブブロック９０１には横方向の制限がない（サブブロック９０２は、突部を配置するために横方向の自由度が最大限許容されるようにチャンネル９５２ａおよびチャンネル９５２ｂを整列させるからである。）。しかしながら、サブブロック９０１上のサブブロック９０２またはサブブロック９０１の相互作用は、サブブロック９０１のチャンネル９５１ａおよび９５１ｂの相対長さによって制限される。
ブロック９００は非オフセット形態で示されているが（すなわち、突部の前部がチャンネルの前部縁と同じ面に沿っている）、サブブロック９０１およびサブブロック９０２のオフセット形態も可能である（たとえばブロック１００および３００にて説明したオフセット形態）。
サブブロック９０１および９０２、およびミニブロック９０１ａ，９０２ａおよび９０２ｂにより構成される壁が図２１に示されている。図２１のＥ−Ｅ線に沿う壁の幾つかの段が平面図として図２２に示されている。図２３は図２２および図２３のＤ−Ｄ線に沿う壁を示している。
一般的に、モルタルレス壁は、接合手段を鉛直方向にし、それぞれの長手方向を水平に配置することで細長いブロックの段が構成される（一つの例外を除く図２１に示すブロックのように）。本発明に関しては、モルタルレス壁は例外的にブロック９０２ａ’を含むことができ、これは図２１乃至２３に示されるように鉛直方向に延在し直線の側部壁面が配置される。特別なブロックが要求されないときに良好な見栄えを得ることができる。
図２１乃至２３に示されるように、ブロック９０２ａ’は、上のサブブロック９０２、左のミニブロック９０２ａおよびサブブロック９０２、および右のブロック９０１ａおよびブロック９０２ａによって一括して取り扱われる。ブロック９０２ａ’は、（突部９２０および９２１をミニブロック９０２ｂの傾斜した側壁面およびミニブロック９０１ａの傾斜した側壁面に沿わせることにより）壁の前面から排除されないようにしっかりと固定されている。９０２ａ’のようなブロックを配置するために、その突部は隣接するブロックの傾斜した側壁面に対面しなければならず、直線的な側壁面であってはならない（これを怠ると突部を除去しなければならない）。ブロック９０２ａ’からサブブロック９０２までの間は、右側においてブロック９０１ａのチャンネル内に配置されるサブブロック９０２の一方の突部と、左側においてブロック９０２ａのチャンネル内に配置される他方の突部との位置に維持される。
ブロック９００、およびミニブロック９０１ａ，９０１ｂ，９０２ａおよび９０２ｂの大きさは、有利な方法にして良い。サブブロック９０１の前部壁面の前面の長さおよびミニブロック９０１ａの前部壁面の前面の長さは、両方ともミニブロック９０１ｂの前部壁面の前面の長さの整数倍とすることが望ましい（全ての長さはＢ−Ｂ線において考慮される）。たとえば、サブブロック９０１が１５インチの長さ、ミニブロック９０１ａが１０インチの長さ、ミニブロック９０１ｂが５インチの長さである。大きさは、ノッチの位置およびこれにより規定されるＢ−Ｂ線およびＣ−Ｃ線により定められる。
本発明の全てのブロックは単位構造であり、好ましくは従来のウェットキャスト法やマシーンプレキャスト法による高強度、高密度コンクリートで構成されている。
ブロック１００，３００および４００は、２フィート×４フィート×２フィートである。チャンネルは約４インチの深さである。突部は６インチ×３インチ×１インチである。
ブロック５００は、２フィート×２フィート×２フィートである。突部は６インチ×３インチ×１インチである。
ブロック８００は、１・１／２フィート×１フィート×３／４フィートである。コアは９・１／４インチ×６・１／４インチである。チャンネルは約１・１／２インチの深さである。突部は３インチ×２インチ×３／８〜５／８インチである。
ブロック９００のチャンネルは約１インチの深さおよび４インチの幅である。突部は２インチ×１・１／２インチ×１／２インチである。
上述した大きさは単に説明のための目的であり、これに限定されることはない。与えられた特定の大きさは、本発明の実施にあたり特定の適用に依存した値に改変しても良い。たとえば、擁壁が応力および変形が一定に増加する駐車場を保護するために適用される場合には、コアはブロック壁に比べて過度に大きくてはいけない。その他、壁の厚さは、適用されるところにおいてブロックの耐荷重に実質的に影響する点まで薄くすることができる。
本発明の主義は既述した実施形態で明確になったが、本発明の実施に際して使用される構造、組み合わせ、形状、要素、材料および組成を種々に改変することは、従来の技術に照らして明らかであり、これら主義を逸脱しない限り、特別な状況や操作要求のために付加することができる。したがって、請求の範囲は、本発明の真理および精神の範囲内においてこれらの改変をも包含する。
【図１】
0004067575.tif 000002
【図２】
0004067575.tif 000003
【図３】
0004067575.tif 000004
【図４】
0004067575.tif 000005
【図５】
0004067575.tif 000006
【図６】
0004067575.tif 000007
【図７】
0004067575.tif 000008
【図８】
0004067575.tif 000009
【図９】
0004067575.tif 000010
【図１０ａ】
0004067575.tif 000011
【図１０ｂ】
0004067575.tif 000012
【図１１】
0004067575.tif 000013
【図１２】
0004067575.tif 000014
【図１３】
0004067575.tif 000015
【図１４】
0004067575.tif 000016
【図１５】
0004067575.tif 000017
【図１６】
0004067575.tif 000018
【図１７】
0004067575.tif 000019
【図１８】
0004067575.tif 000020
【図１９】
0004067575.tif 000021
【図２０】
0004067575.tif 000022
【図２１】
0004067575.tif 000023
【図２２】
0004067575.tif 000024
【図２３】
0004067575.tif 000025